(57)【要約】【課題】光エレメントと分岐用光ケーブルとの接続部の把持構造を簡素化できる光エレメント接続部ホルダを提供する。【解決手段】光エレメント接続部ホルダ１は、複数の光エレメント１０４をケーブルコア１０１に収容した光ケーブル１００から所定の光エレメント１０４を引き落とす中間後分岐部に設けられ、ケーブルコア１０１に固定される基部２と、基部２の外側に配置されて、光エレメント１０４と分岐用光ケーブル１１０との接続部１２０を把持して収納する少なくとも１つの把持部３と、を備えている。【選択図】図５
2014164264.tif 000002
【特許請求の範囲】
【請求項１】
複数の光エレメントをケーブルコアに収容した光ケーブルから所定の光エレメントを引き落とす中間後分岐部に設けられる光エレメント接続部ホルダであって、
前記ケーブルコアに固定される基部と、
前記基部の外側に配置されて、前記光エレメントと分岐用光ケーブルとの接続部を把持して収納する少なくとも１つの把持部と、
を備えていることを特徴とする光エレメント接続部ホルダ。
【請求項２】
前記把持部は、把持部開口部を有し、前記把持部開口部から前記接続部が挿入されることを特徴とする請求項１に記載の光エレメント接続部ホルダ。
【請求項３】
前記基部は、基部開口部を有し、前記基部開口部から前記ケーブルコアに嵌め込まれて固定されることを特徴とする請求項１または２に記載の光エレメント接続部ホルダ。
【請求項４】
前記基部は、それぞれ基部開口部を有する一対の固定部材から構成され、
前記一対の固定部材同士は、前記ケーブルコアを挟み込んで固定されることを特徴とする請求項１または２に記載の光エレメント接続部ホルダ。
【請求項５】
請求項１から４のいずれか一項に記載の光エレメント接続部ホルダの外周を覆うスリーブを有することを特徴とする光ケーブル分岐部。
【発明の詳細な説明】
【技術分野】
【０００１】
本発明は、たとえば光ケーブルの中間後分岐に用いられる光エレメント接続部ホルダに関する。
【背景技術】
【０００２】
特許文献１には、ケーブル本体の側部に支持線が併設された光ファイバケーブルを布設した後に、ケーブル本体から取り出された光ファイバを分岐用光ファイバケーブルから口出しされた光ファイバと接続し、両光ファイバの接続部をクロージャのクロージャスリーブ内に収容する方法が開示されている。
【先行技術文献】
【特許文献】
【０００３】
【特許文献１】特開２００５−１４８４６２号公報
【発明の概要】
【発明が解決しようとする課題】
【０００４】
特許文献１においては、クロージャの気密性を確保するため高価な部材が必要となり、材料費が高くなってしまう。また、光ファイバ同士が露出された状態で接続されているため、露出された光ファイバを扱ってクロージャ内に収容するための専門技術を要し、施工時間が長くなるとともに施工費が高くなる。さらに、クロージャはある程度の大きさを備えており、クロージャが設置されると美観が損なわれるため、光ファイバケーブルと分岐用光ファイバケーブルとの接続部の把持構造を簡素化して美観を確保することが要求されている。
【０００５】
そこで、本発明は、光エレメントと分岐用光ケーブルとの接続部の把持構造を簡素化できる光エレメント接続部ホルダを提供することを目的とする。
【課題を解決するための手段】
【０００６】
上記の目的を達成するために、本発明の光エレメント接続部ホルダは、
複数の光エレメントをケーブルコアに収容した光ケーブルから所定の光エレメントを引き落とす中間後分岐部に設けられる光エレメント接続部ホルダであって、
前記ケーブルコアに固定される基部と、
前記基部の外側に配置されて、前記光エレメントと分岐用光ケーブルとの接続部を把持して収納する少なくとも１つの把持部と、
を備えていることを特徴とする。
【０００７】
また、本発明の光エレメント接続部ホルダにおいて、前記把持部は、把持部開口部を有し、前記把持部開口部から前記接続部が挿入される構成としてもよい。
【０００８】
また、本発明の光エレメント接続部ホルダにおいて、前記基部は、基部開口部を有し、前記基部開口部から前記ケーブルコアに嵌め込まれて固定される構成としてもよい。
【０００９】
また、本発明の光エレメント接続部ホルダにおいては、前記基部は、それぞれ基部開口部を有する一対の固定部材から構成され、
前記一対の固定部材同士は、前記ケーブルコアを挟み込んで固定される構成としてもよい。
【００１０】
また、上記の目的を達成するために、本発明の光ケーブル分岐部は、前記光エレメント接続部ホルダの外周を覆うスリーブを有する構成としてもよい。
【発明の効果】
【００１１】
本発明の光エレメント接続部ホルダによれば、光エレメントと分岐用光ケーブルとの接続部の把持構造を簡素化することで高価なクロージャが不要となるため、低コスト化を実現することができる。また、光エレメントと分岐用光ケーブルとの接続部を把持部に把持させるだけで、接続部を収容することができるため、露出された光ファイバ心線を扱ってクロージャ内に収容するような専門技術を要さず、施工時間や施工費を削減することができる。
【図面の簡単な説明】
【００１２】
【図１】本発明の実施形態に係る光ケーブルの一例を示す断面図である。
【図２】図１の光ケーブルに収容される光エレメントの一例を示す断面図である。
【図３】図２の光エレメントと接続される分岐用光ケーブルを示す断面図である。
【図４】光エレメントと分岐用光ケーブルとの接続部が把持される光エレメント接続部ホルダの一例を示す斜視図である。
【図５】図４の光エレメント接続部ホルダの使用状態図である。
【図６】図４の光エレメント接続部ホルダの外周がスリーブにより覆われた状態を示す斜視図である。
【図７】複数の把持部が設けられている光エレメント接続部ホルダを示す断面図である。
【図８】本実施形態に係る光エレメント接続部ホルダの変形例を示す断面図である。
【図９】本実施形態に係る光エレメント接続部ホルダの別の変形例を示す断面図である。
【発明を実施するための形態】
【００１３】
以下、本発明に係る光エレメント接続部ホルダおよび光エレメント接続部ホルダが適用される光ケーブルの実施形態の例を、図１から図６に基づいて説明する。
【００１４】
本実施形態の光エレメント接続部ホルダ１（図４参照）が適用される光ケーブル１００としては、図１に示されるようなスロット溝１０１ａに複数の光エレメントが収容されたスロット型ケーブル１００が例示される。このスロット型ケーブル１００は、ケーブルコア１０１と、ケーブルコア１０１の中心に設けられたテンションメンバ１０２と、ケーブルコア１０１の周囲を被覆する外被１０３とを備えている。ケーブルコア１０１は、複数の光エレメントを収容する複数のスロット溝１０１ａを有している。光エレメントとしては、ここではインドアケーブル１０４が例示される。
【００１５】
光エレメントとしてのインドアケーブル１０４は、図２に示すように、光ファイバ心線１０５と一対のテンションメンバ１０６とが熱可塑性樹脂の外被１０７により被覆されることで構成されている。外被１０７の側面には、光ファイバ心線１０５を挟んで形成された一対のノッチ１０８が形成されている。光エレメントは、インドアケーブル１０４の構成に限られず、複数本の光ファイバ心線が並列固定されて外被で覆われた光ファイバテープ心線や、後述の分岐用光ケーブル１１０と同様のドロップケーブルであってもよい。
【００１６】
インドアケーブル１０４のうちいずれか１本または複数本がケーブルコア１０１の外側に引き出されて、分岐用光ケーブル１１０（図３参照）と接続される。分岐用光ケーブル１１０は、図３に示すように、並行に配置された本体部１１１と支持線部１１２とが連結部１１３により接続されたドロップケーブルとして構成されている。本体部１１１は、インドアケーブル１０４と同様に、光ファイバ心線１１４と一対のテンションメンバ１１５とが熱可塑性樹脂の外被１１６により被覆されることで構成されている。支持線部１１２は、本体部１１１の外被１１６と同じ樹脂材料により支持線１１７が被覆されることにより形成されている。本体部１１１の外被１１６と同じ樹脂材料により形成された連結部１１３により本体部１１１と支持線部１１２とが連結され一体化している。なお、分岐用光ケーブル１１０は、光エレメントと同様に、インドアケーブルや光ファイバテープ心線であってもよいが、光エレメントと接続されるケーブルであるため、光エレメントに収容された光ファイバ心線１０５と同数で同配列の光ファイバ心線１１４を有していることが好ましい。
【００１７】
このように構成されたスロット型ケーブル１００において、外被１０３の一部が除去され、ケーブルコア１０１のスロット溝１０１ａに収容された複数のインドアケーブル１０４のうち１本のインドアケーブル１０４がケーブルコア１０１の外側に引き出される。引き出されたインドアケーブル１０４は、分岐用光ケーブル１１０と接続される。その接続部１２０が、図４および図５に示す光エレメント接続部ホルダ１により保持される。
【００１８】
光エレメント接続部ホルダ１は、基部２と、基部２の外側に配置される把持部３と、を備えている。
【００１９】
基部２は、例えば樹脂製の部材であり、その長手方向に沿って開口部（基部開口部）２ａを備えた断面略Ｃ字状の形状を有している。基部２は、図５に示すように、開口部２ａからケーブルコア１０１に嵌め込まれることで、ケーブルコア１０１の所定位置に固定されている。
【００２０】
把持部３は、例えば樹脂製の部材であり、把持部３の長手方向に沿って開口部（把持部開口部）３ａを備えた断面略Ｃ字状の形状を有している。この把持部３は、基部２の外側において基部２の長手方向の中央部付近に接着剤等で接合、もしくは一体の部材で形成されている。図５に示すように、開口部３ａからインドアケーブル１０４と分岐用光ケーブル１１０との接続部１２０が挿入されることにより、把持部３は接続部１２０を把持して収納する。このようにして、基部２の外側に配置された把持部３に接続部１２０を容易に収容することができる。
【００２１】
光エレメント接続部ホルダ１に把持される接続部１２０は、インドアケーブル１０４の内部に収容された光ファイバ心線１０５や分岐用光ケーブル１１０の内部に収容された光ファイバ心線１１４が接続部１２０の外部に露出することなく、それぞれ外被１０７，１１６に覆われたままで接続部１２０において接続されている。
【００２２】
本実施形態においては、インドアケーブル１０４と分岐用光ケーブル１１０との接続部１２０を把持する光エレメント接続部ホルダ１がケーブルコア１０１に固定される箇所を光ケーブル分岐部と呼ぶ。図６に示すように、光ケーブル分岐部においてケーブルコア１０１に固定された光エレメント接続部ホルダ１は、その外周がスリーブ１０により覆われていることが好ましい。スリーブ１０の一端側からは、スリーブ１０内に収容されたスロット型ケーブル１００から引き出されたインドアケーブル１０４と接続された分岐用光ケーブル１１０が引き出されている。分岐用光ケーブル１１０は、家屋等まで導かれて引き落とされる。
【００２３】
スリーブ１０は、収縮チューブ、または樹脂製の半割構造体から構成されている。スリーブ１０は、その両端が例えば自己融着テープや粘着テープ等からなる封止部材１１により覆われ、水密状態に封止されている。スリーブ１０が半割構造体から構成されている場合は、その半割構造体の周囲全体とその両端が封止部材１１により封止されていることが好ましい。
【００２４】
以上説明した本実施形態に係る光エレメント接続部ホルダ１によれば、インドアケーブル１０４と分岐用光ケーブル１１０との接続部１２０の把持構成を簡素化することで高価なクロージャが不要となるため、低コスト化を実現することができる。
【００２５】
また、接続部１２０が把持部３に把持されるだけで、接続部１２０が光エレメント接続部ホルダ１に収容される。そのため、インドアケーブル１０４の光ファイバ心線１０５と分岐用光ケーブル１１０の光ファイバ心線１１４を接続部１２０の外部に露出させることなく接続部１２０において接続することができる。したがって、露出された光ファイバ心線１０５，１１４を扱ってクロージャ内に収容するような専門技術を要さず、施工時間や施工費を削減することができる。
【００２６】
また、把持部３は、把持部開口部３ａを有し、把持部開口部３ａからインドアケーブル１０４と分岐用光ケーブル１１０との接続部１２０が挿入される構成であるため、接続部１２０を容易に収容することができ、作業効率を大幅に向上させることができる。
【００２７】
また、基部２は、基部開口部２ａを有し、基部開口部２ａからケーブルコア１０１に嵌め込まれて固定される構成であるため、基部２のケーブルコア１０１への固定も非常に容易に行うことができる。
【００２８】
さらに、光エレメント接続部ホルダ１は、その外周がスリーブ１０で覆われており、スリーブ１０で覆われた状態でもスロット型ケーブル１００の外径よりもやや大きい程度の外径を有している。そのため、従来のクロージャと比べて大幅な小型化を実現することができ、美観を損なうことがない。
【００２９】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００３０】
上記の実施形態においては、基部２の外側に単一の把持部３が設けられている構成であるが、本発明はこの例に限られない。例えば、図７に示すように、基部２の外側には複数の把持部３が設けられ、ケーブルコア１０１から引き出された複数の光エレメントと複数の分岐用光ケーブルとの各接続部が複数の把持部３にそれぞれ収容される構成としてもよい。
【００３１】
また、上記の実施形態においては、基部２は、基部開口部２ａを有し、基部開口部２ａからケーブルコア１０１に嵌め込まれて固定される構成であるが、本発明はこの例に限られない。例えば、図８に示すように、光エレメント接続部ホルダ２０は、基部２２および複数の把持部２３を有しており、基部２２は、それぞれ円筒半割形状で開口部（基部開口部）２２ａを有する一対の固定部材２２ｂ，２２ｃから構成されていてもよい。一対の固定部材２２ｂ，２２ｃ同士がケーブルコア１０１を挟み込んだ状態でその外側が結束バンド等の締結部材２４により締結されることにより基部２２がケーブルコア１０１に固定されている。この構成によっても、インドアケーブル１０４と分岐用光ケーブル１１０との接続部１２０の把持構造を簡素化できる光エレメント接続部ホルダ２０を提供することができる。
【００３２】
また、図９に示すように、光エレメント接続部ホルダ３０は、基部３２および複数の把持部３３を有しており、基部３２は、それぞれ円筒半割形状で開口部（基部開口部）３２ａを有する一対の固定部材３２ｂ，３２ｃから構成されていてもよい。固定部材３２ｂ，３２ｃは互いに噛み合う嵌合部３４ａ，３４ｂを備えており、固定部材３２ｂ，３２ｃ同士がケーブルコア１０１を挟み込んだ状態で嵌合部３４ａ，３４ｂが噛み合うことにより基部３２はケーブルコア１０１に固定されている。この構成によっても、インドアケーブル１０４と分岐用光ケーブル１１０との接続部１２０の把持構造を簡素化できる光エレメント接続部ホルダ３０を提供することができる。
【００３３】
本実施形態においては、基部２，２２，３２および把持部３，２３，３３は、基部開口部または把持部開口部を備えた断面略Ｃ字状の形状を有しているが、開口部を有し、簡単に固定あるいは把持できる構成であれば略Ｃ字状に限られず、断面視において一面が開口した角筒状の構造であってもよい。
【符号の説明】
【００３４】
１，２０，３０：光エレメント接続部ホルダ、２，２２，３２：基部、２ａ：基部開口部、３，２３，３３：把持部、３ａ：把持部開口部、２２ｂ，２２ｃ，３４ａ，３４ｂ：固定部材、３５：締結部材、３５ａ，３５ｂ：嵌合部、１００：光ケーブル、１０１：ケーブルコア、１０２，１０６，１１５：テンションメンバ、１０４：インドアケーブル（光エレメント）、１０５，１１４：光ファイバ心線、１０７，１１６：外被、１０８：ノッチ、１１０：分岐用光ケーブル、１１１：本体部、１１２：支持線部、１２０：接続部
【図１】
2014164264.tif 000003
【図２】
2014164264.tif 000004
【図３】
2014164264.tif 000005
【図４】
2014164264.tif 000006
【図５】
2014164264.tif 000007
【図６】
2014164264.tif 000008
【図７】
2014164264.tif 000009
【図８】
2014164264.tif 000010
【図９】
2014164264.tif 000011